(57)【特許請求の範囲】
【請求項１】
所定方向に沿って所定ピッチで並ぶ複数のフック孔を家具本体に設けるとともにベース装置にフック爪を設けておき、前記フック孔のいずれかにフック爪を引掛けることによりベース装置を家具本体に対して固定するとともに、ベース装置及び被着部材にそれぞれ設けた止着孔にねじを挿通させて締め付けることにより被着部材をベース装置に対し固定するようにしたものであって、
ベース装置を互いに分離可能な二つのベースからなるものとし、少なくともいずれか一方のベースに設けた止着孔を前記所定方向に延びる長孔状のものとし、
当該止着孔の前記ベースと前記被着部材との位置調整をする場合の調整最大寸法を、前記所定ピッチよりも大きく設定したことを特徴とする部材取付構造。
【請求項２】
被着部材が家具本体に取り付けるべきオプション部材である請求項１記載の部材取付構造。
【請求項３】
被着部材がコンセントであって、前記一方のベースには、前記所定方向に延びる複数の長孔状止着孔を前記所定方向と異なる方向に沿って並び設け、他方のベースには、前記異なる方向に延びる第２の長孔状止着孔を設けた請求項１記載の部材取付構造。
【請求項４】
前記各止着孔を貫通させたねじの先端にナットを締着し、ベースと被着部材とを締め付けるようにしたものであって、ナットにおけるベースの裏面に押し当たる面に滑り止め加工を施している請求項１又は３記載の部材取付構造。
【発明の詳細な説明】
【０００１】
【発明の属する技術分野】
本発明は、家具本体に対し部材を好適に取り付けるための部材取付構造に関する。
【０００２】
【従来の技術】
従来、ＯＡタップ（コンセント）等の被着部材を家具本体に取り付けるために種々の方法が採られている。具体的にコンセントを例にとれば、家具本体にコンセントをひもでぶら下げたり、予めコンセント取付用の止着孔が設けられていて、その止着孔を利用してコンセントをねじ止めしたりするような方法が採用されている。
【０００３】
【発明が解決しようとする課題】
しかしながら、ひもでぶら下げたりするような方法では、安定感に欠き使い勝手や見映えもよくない。また、止着孔を利用してコンセントをねじ止めする方法では、差込口の数の違うものなどコンセントの止着孔の位置が異なるものに対応することができない。そこで、家具本体側に新たな加工を施すなどの仕様変更を行うのは、手間がかかりコスト的にも好ましいものではない。また、家具本体とコンセントとの間にベース装置を介在させたのでは、コンセントの形状の相違に対応すべく、ベース装置とコンセントとの取付構造に工夫が必要となって、ベース装置の構造そのものが複雑になるおそれがある。
【０００４】
そしてこのような問題点は、コンセントに限らず大きさや仕様の異なる複数種の態様を有するオプション部材等の被着部材に共通して内在する。
【０００５】
そこで本発明は、ベース装置を互いに分離可能な複数のベースからなるものとし、それらベースの少なくとも一つに対する被着部材の取付位置を変え得るように構成することにより、簡単な構造のベースを用いて種々の大きさの被着部材を家具本体に取り付けることができるようにしたものである。
【０００６】
【課題を解決するための手段】
すなわち、本発明に係る部材取付構造は、被着部材をベース装置を介在させて家具本体に取り付けるものであって、ベース装置を互いに分離可能な複数のベースからなるものとし、それらベースのうちの少なくとも一つに対する前記被着部材の固定位置を変更可能に構成したことを前提とする。
【０００７】
このようなものであれば、被着部材を、互いに離間可能な複数のベースを介して家具本体に取り付けるようにしているので、形状や大きさの異なる種々の被着部材に対して、一部のベースの家具本体に対する取付位置を変更するだけで対応することができるうえ、例えば、ベースの家具本体に対する取付位置を段階的にしか変更できない場合でも、それらベースのうちの少なくとも一つに対する前記被着部材の固定位置を変更可能に構成しているので、微調整が可能になり、あらゆる形状や大きさの被着部材に容易に対応できるうえ、被着部材の家具本体に対する取付姿勢や位置を一定にできるという効果も奏する。さらに、ベースの構造も簡単にすることができるという効果も奏し得る。
【０００８】
具体的に本部材取付構造を極めて簡単な構成で実現するため本発明は、家具本体に対し所定方向に沿って段階的に位置変更可能なベース装置を介して、被着部材を該家具本体に取り付けるものであって、ベース装置を互いに分離可能な二つのベースからなるものとし、少なくともいずれか一方のベースに対する前記被着部材の固定位置を前記所定方向に沿って自在に変更可能に構成したものを前提としている。
【０００９】
ここで、家具本体には、予め部材着脱用のフック孔を所定方向に沿って所定ピッチで複数並び設けているものが知られている。このようなフック孔を利用して家具本体に改造を施すことなく適用した本発明は、ベース装置にフック爪を設けておき、前記フック孔のいずれかにフック爪を引掛けることによりベース装置を家具本体に対して固定するとともに、ベース装置及び被着部材にそれぞれ設けた止着孔にねじを挿通させて締め付けることにより被着部材をベース装置に対し固定するようにしたものであって、ベース装置を互いに分離可能な二つのベースからなるものとし、少なくともいずれか一方のベースに設けた止着孔を前記所定方向に延びる長孔状のものとし、当該止着孔の前記ベースと前記被着部材との位置調整をする場合の調整最大寸法を、前記所定ピッチよりも大きく設定したことを特徴としている。
【００１０】
本発明の効果が顕著に奏される具体的実施態様としては、被着部材がコンセントであって、前記一方のベースには、前記所定方向に延びる複数の長孔状止着孔を前記所定方向と異なる方向に沿って並び設け、他方のベースには、前記異なる方向に延びる第２の長孔状止着孔を設けたものを挙げることができる。
【００１１】
ベースと被着部材とを好適に取り付けるためには、前記各止着孔を貫通させたねじの先端にナットを締着し、ベースと被着部材とを締め付けるようにしたものであって、ナットにおけるベースの裏面に押し当たる面に滑り止め加工を施しているものが好ましい。
【００１２】
【発明の実施の形態】
以下、本発明の一実施形態について図面を参照して説明する。
【００１３】
図１は、本実施例を適用した家具本体たるサーバラック１００を示している。このサーバラック１００は、サーバコンピュータやそれに付随するディスプレイ、あるいはキーボード等を複数収容するためのものであって、左右一対の側部支持体１０１を、その後端部において図示しない横架材により連結して自立性を持たせ、これら側部支持体１０１の対向する内側面に開口させたフック孔Ｆを利用して、側部支持体１０１間に天板１０４や上棚１０５を支持させてなるものである。そして、必要に応じて中間棚１０６や図示しない配線ダクト等も取り付けられるよう構成してある。
【００１４】
この側部支持体１０１について説明を加えておくと、このものは主として板金素材を塑性変形加工してなる支柱１と、この支柱１の下端を支持する支持ベース２とからなるもので、床上に対をなして対向配置される。支柱１は、図１、図９、図１２等に示すように、その外側面を形成し内方に開口する薄肉の化粧材１１と、その内側面を形成し外方に開口する厚肉の強度材１２とを溶接してなる中空のもので、その上端面には樹脂製のキャップ１３が被覆してある。また、支柱１の前面には長手方向（上下方向）に延びる有底溝１１１を屈曲形成して、その有底溝１１１の底壁１１２にフック孔１１ａを複数、上下方向に沿って所定ピッチで間欠的に貫通させている。
【００１５】
このような構成において、本実施形態では、被着部材たるコンセント５を、その長手方向を所定方向たる上下方向Ｘに一致させるようにして、ベース装置６を介して支柱１の前面に取り付けるようにしている。
【００１６】
コンセント５は既知のもので、図２、図３に示すように、その長手方向に沿って一列に複数の差込口５３が設けられてなる角柱状の本体５４と、その両端部に形成した薄板状の被着部５１、５２とを具備する。そしてこれら被着部５１、５２に止着孔たるねじ貫通孔５１ａ、５２ａをそれぞれ設けている。
【００１７】
ベース装置６は、互いに分離する第１ベース６Ａ及び第２ベース６Ｂからなるものである。
【００１８】
第１ベース６Ａは、図２〜図９に示すように、支柱１側に向く後面を開口させてなる板金製中空箱形のベース本体６１と、このベース本体６１に爪支持材６２を介して固定したフック爪６３とを備えたものであり、コンセント５の上部被着部５１ａと支柱１との間に介在する。
【００１９】
より具体的には、このベース本体６１における前壁６１１の上下方向中央部位には、ねじ７１を挿通させ得る止着孔６１ａが貫通させてある。この止着孔６１ａは、この第１ベース６Ａを支柱１に取り付けた状態で左右方向に延びる長孔状のものである。
【００２０】
また、第１ベース６Ａの内部中央には、側壁６１２と平行をなすように板状の爪支持材６２が上下壁６１３及び前壁６１１に支持させてあり、この爪支持材６２の後縁上端部及び下端部にそれぞれ下向きのフック爪６３がそれぞれ一体に形成してある。さらに、この爪支持材６２の前縁部であって前記止着孔６１ａに臨む部位には切欠部６２ａが設けてあって、後述するナット７２をこの切欠部６２ａと前壁６１１との間に挿入し得るようにしてある。
【００２１】
一方、上下壁６１３それぞれにおける中央後縁からは、矩形板状をなす位置決め片８が後方に向かって一体に延ばしてある。この位置決め片８は、先端（後方）に向かうに連れて徐々に左右幅寸法が小さくなる平面視台形状をなすもので、その基端部における幅寸法Ｔが、前記支柱１の前面に設けた有底溝１１１の幅寸法ｔと同一または略同一となるように設定してある。
【００２２】
第２ベース６Ｂは、図２〜図９に示すように、第１ベース６Ａと略同一の構成をなすもので、各図において対応する部材には同一の符号を付してある。しかして相違点は、前壁６１１に設けた止着孔６１ｂにある。この止着孔６１ｂは、この第２１ベース６Ｂを支柱１に取り付けた状態において上下方向Ｘに延びる長孔状のもので、上下方向Ｘと異なる方向である左右方向Ｙに沿って３つが並び設けられている。このように３つの各止着孔６１ｂを設けたのは、コンセントの規格上、ねじ貫通孔５１ａ、５２ａを設けてある位置が中心、左側、右側の何れかに設定されていることから、その規格に適合させたものである。また、その規格に合わせてこれら各止着孔６１ｂの左右離間距離を設定している。一方、各止着孔６ｂの上下有効寸法は、前記フック孔１１ａのピッチよりも大きく設定している。あらゆる長さのコンセント５に対応できるからである。ここで、「有効寸法」とは、この止着孔６ｂを利用してベース６Ｂとコンセント５との位置調整をする場合の調整最大寸法のことである。また、前記第１ベース６Ａの止着孔６１ａの左右長さ寸法は、この第２ベース６Ｂの左右外側に位置する止着孔６ｂの外縁間距離と同一又は大きくなるように設定している。
【００２３】
次に、このコンセント５を支柱１に取り付ける方法について、その一例を以下に詳述する。
【００２４】
まずコンセント５の各被着部５１、５２に、第１ベース６Ａ及び第２ベース６Ｂを取り付ける。具体的には、コンセント５の各被着部５１、５２に設けたねじ貫通孔５１ａ、５２ａにねじ７１を前面からそれぞれ貫通させ、さらに各ベース６Ａ、６Ｂの前記止着孔６１ａ、６１ｂに当該ねじ７１をそれぞれ貫通させたうえで、このねじ７１の先端部に、前記切欠部６２ａと前壁６１１との間に挿入したナット７２を締着し、ベース６Ａ、６Ｂとコンセント５とを締め付ける。
【００２５】
この時、コンセント５の上端部に取り付ける第１ベース６Ａは、ねじ７１をしっかり締め付けて当該コンセント５に固定してよい。一方、コンセント５の下端部に取り付ける第２ベース６Ｂは、ねじ７１を若干ゆるめにして、第２ベース６Ｂがコンセント５に対してその長手方向に沿ってスライド可能な程度にしておく。
【００２６】
次に、第１ベース６Ａのフック爪６３を、支柱１のフック孔１１ａに引掛ける。この時、位置決め片８が有底溝１１１の各側面１１１ａに密接又は近接するように嵌まって第１ベース６Ａの左右方向Ｙへのずれや揺れ等を防止する作用を営む。
【００２７】
この次にあるいはこれと略同時に、第２ベース６Ｂをコンセント５に対してスライドさせて位置調整をしつつ、第２ベース６Ｂのフック爪６３を支柱１の対応するフック孔１１ａに適切に引掛ける。
【００２８】
その後、若干ゆるめにしていたねじ７１を締め付け、第２ベース６Ｂをコンセント５に緩み無く固定する。この時、ナット７２におけるベース前壁裏面に押し当たる面７２ａには、細かい凹凸を設けるなど、滑り止め加工を施しているので、ナット７２がねじ７１と共回りすることなく、しっかりとねじ７１を締め付けることができる。
【００２９】
このようにして、コンセント５を、第１ベース６Ａ及び第２ベース６Ｂにより、取付面たる支柱前面に直接的に接することなく、支柱１に取り付けることができる。なお、取り外すときは、ベース６Ａ、６Ｂごと支柱から外してもよいし、ねじ７１を緩めてベース６Ａ、６Ｂからコンセント５を外してもよい。
【００３０】
したがって本実施形態の部材取付構造によれば、従来一つであったコンセント取付用のベース装置６を２分割し、各ベース６Ａ、６Ｂによりコンセント５の上下端部を支持させるようにしているので、コンセント５の種類の相違に起因する長さの違いに対して、いずれか一方のベース６Ａ、６Ｂの支柱１に対する取付位置を変更することにより対応することができる。しかも、各ベース６Ａ、６Ｂの構造を極めて簡単なものとすることができるようになる。
【００３１】
また、これらベース６Ａ、６Ｂの支柱１に対する取付は、支柱１に予め設けられてなるフック孔１１ａを利用するので、家具本体たるサーバラック１００に何ら追加加工等の改造を施すことが不要である。
【００３２】
一方、このようにベース６Ａ、６Ｂをフック孔１１ａを利用して取り付けるようにした結果、フック孔１１ａのピッチの関係からベース６Ａ、６Ｂの取付位置の変更を段階的にしか行えないところ、第２ベース６Ｂの止着孔形状をフック孔１１ａの並び方向に沿って延びるものとし、この第２ベース６Ｂに対するコンセント５の固定位置を自在に変更できるようにしているので、あらゆるコンセント５の長さに対応することができる。
【００３３】
なお、本発明は上記実施形態に限られるものではない。
【００３４】
例えば、コンセントの下端部に第１ベースを取り付け、上端部に第２ベースを取り付けても構わない。
【００３５】
また、第１ベースの左右に延びる長孔状の止着孔を、第２ベースの止着孔と等ピッチで設けた左右に並ぶ複数の円状の孔にしてもよい。
【００３６】
さらに、コンセントの取付姿勢は、実施形態のようにその長手方向を鉛直方向に一致させなくともよいし、サーバラック以外の家具等に取り付けることも可能である。もちろん、被着部材はコンセントに限られるものではない。
【００３７】
加えて、ベースの家具本体に対する取付構造はをフック孔とフック爪の係合によるものに限られず、適宣種々の方法を用いればよい。
【００３８】
その他本発明は以上に詳述した図示例に限られず、種々の変形が可能である。
【００３９】
【発明の効果】
以上に詳述したように本発明によれば、被着部材を、複数のベースを介して家具本体に取り付けるようにしているので、形状や大きさの異なる種々の被着部材に対して、一部のベースの家具本体に対する取付位置を変更するだけで対応することができるうえ、例えば、ベースの家具本体に対する取付位置を段階的にしか変更できない場合でも、それらベースのうちの少なくとも一つに対する前記被着部材の固定位置を変更可能に構成しているので、微調整が可能になり、あらゆる形状や大きさの被着部材に容易に対応できる。さらに、ベースの構造も簡単にすることができるという効果も奏し得る。
【図面の簡単な説明】
【図１】本発明の一実施形態における家具本体たるサーバラックを示す全体斜視図。
【図２】同実施形態におけるコンセント及びベースを支柱に取り付けた状態を示す斜視図。
【図３】同実施形態におけるコンセント及びベースの分解斜視図。
【図４】同実施形態における第１ベースの正面図。
【図５】同実施形態における第１ベースの背面図。
【図６】同実施形態における第２ベースの正面図。
【図７】同実施形態における第２ベースの背面図。
【図８】同実施形態におけるコンセント及びベースを支柱に取り付けた状態を示す縦断面図。
【図９】同実施形態におけるベースを支柱に取り付けた状態を示す横断面図。
【図１０】同実施形態におけるナットを示す側面図。
【図１１】同実施形態におけるナットを示す背面図。
【図１２】同実施形態における支柱を示す部分正面図。
【符号の説明】
１００・・・家具本体（サーバラック）
１１ａ・・・フック孔
５・・・被着部材（コンセント）
５１ａ、５２ａ・・・被着部材側止着孔（ねじ貫通孔）
６・・・ベース装置
６Ａ、６Ｂ・・・ベース
６１ｂ・・・ベース側止着孔
６３・・・フック爪
７１・・・ねじ
７２・・・ナット
７２ａ・・・ベースの裏面に押し当たる面
Ｘ・・・所定方向
Ｙ・・・異なる方向
【図１】
0004071931.tif 000002
【図２】
0004071931.tif 000003
【図３】
0004071931.tif 000004
【図４】
0004071931.tif 000005
【図５】
0004071931.tif 000006
【図６】
0004071931.tif 000007
【図７】
0004071931.tif 000008
【図８】
0004071931.tif 000009
【図９】
0004071931.tif 000010
【図１０】
0004071931.tif 000011
【図１１】
0004071931.tif 000012
【図１２】
0004071931.tif 000013